(57)【要約】【課題】  従来からオフィス向けに販売されている既成の中型シュレッダーと軽トラックを組み合わせた、小規模な廃棄物破砕車を提案する。【解決手段】  自力走行可能な軽トラックの車両本体と、この車両本体の荷台に積載する施錠可能な密閉空間を形成した箱型のシュレッダー収納室と、このシュレッダー収納室内の床面に設置するシュレッダーとからなり、上記シュレッダー収納室の床面は、シュレッダー移動装置を介して荷台の前後方向に引き出し又は収納可能として廃棄物破砕車を構成するという手段を採用した。また、上記シュレッダー移動装置は、シュレッダーを載置する床面と、この床面の下面に列設する複数のローラーと、車両本体の荷台の前後方向に固定して上記床面が摺動する摺動レールと、この摺動レールと平行に設けられて上記ローラーを嵌入して案内する断面凹型の案内レールとからなる。【選択図】  図２
2006082011.tif 000002
【特許請求の範囲】
【請求項１】
自力走行可能な軽トラックの車両本体と、この車両本体の荷台に積載する施錠可能な密閉空間を形成した箱型のシュレッダー収納室と、このシュレッダー収納室内の床面に設置するシュレッダーとからなり、上記シュレッダー収納室の床面は、シュレッダー移動装置を介して荷台の前後方向に引き出し又は収納可能としたことを特徴とする廃棄物破砕車。
【請求項２】
上記シュレッダー移動装置は、シュレッダーを載置する床面と、この床面の下面に列設する複数のローラーと、車両本体の荷台の前後方向に固定して上記床面が摺動する摺動レールと、この摺動レールと平行に設けられて上記ローラーを嵌入して案内する断面凹型の案内レールとからなる請求項１記載の廃棄物破砕車。
【請求項３】
上記シュレッダー収納室の床面の後端部に、当該床面と地面とを昇降可能とする昇降装置をさらに組み立て可能に設けた請求項１又は請求項２記載の廃棄物破砕車。
【請求項４】
上記昇降装置は、床面の後端部に鉛直方向に折曲・固定可能に取り付けた枠脚と、この枠脚に対して直角方向に展開可能に取り付けた昇降用ステップからなる請求項３記載の廃棄物破砕車。
【発明の詳細な説明】
【技術分野】
【０００１】
この発明は、軽自動車（軽トラック）およびオフィス向けの中型シュレッダーを利用して、オフィス等で発生する機密文書や個人情報を記録した記憶媒体等を細断処理する、小規模な廃棄物破砕車に関するものである。
【背景技術】
【０００２】
従来から、オフィス等で発生する機密性の高い文書等は、個々にシュレッダーで細断され、破棄されていた。例えば、金融機関や保険会社等では個人のプライバシーにかかわる情報が記載された文書などが大量に発生するが、保管スペース等に制約があることから、一定の保存期間が経過するとシュレッダーで細断し廃棄している。
【０００３】
一方、最近では、自然環境保護の観点から、機密文書を含めた紙の再生利用が広く求められている。そのため、機密文書等の機密性を保持したまま製紙会社へ搬入し、溶解再生紙化するための廃棄物破砕車が提案されている。例えば、特許文献１に示す廃棄物細断車や特許文献２に示すごみ収集車などがある。
【０００４】
【特許文献１】特開２００２−１７９２０２号公報
【特許文献２】特開２００３−４０４０２号公報
【発明の開示】
【発明が解決しようとする課題】
【０００５】
しかし、こうした従来の廃棄物破砕車は、その構造上、どうしても大型のものになってしまっていた。そのため、作業スペースとなる駐車場の確保が難しかったり、道幅が狭く通行に苦労する等の問題が残されている。
【０００６】
一方、機密文書の破棄だけでなく、近年では情報処理機器の発達に伴い、光、磁気メディア等の記憶媒体（ＦＤ、ＣＤ−ＲＯＭ、ＤＶＤ−ＲＯＭ、ＭＯなど）についても、その機密性の保持については、廃棄時の物理的な破砕が推奨されている。即ち、こうした記憶媒体は大量のデータを僅かな枚数で記録・保存することができるため、量としては大きくまとまることが少ないが、持ち出し、盗難等の被害にあった場合のデータの流出の被害は、文書データの流出時とは比べものにならないほど大きなものとなる。このため、光、磁気ディスク等の記憶媒体については、こまめな破砕・細断処理が望ましい。しかし、処理量が少ないことから、従来の大型の破砕車ではコスト高となっていた。
【０００７】
このような状況から、軽自動車（軽トラック）を利用して小型化することが考えられるが、軽自動車は法令上その大きさや重量に制限がある。即ち、軽自動車は、長さ３．４０ｍ以下、幅１．４８ｍ以下、高さ２．００ｍ以下、排気量０．６６０リットル以下などの制限がある。このことから、大型車と同様の機械を積載することは困難であり、また、軽トラックに対応した機器を新たに開発したり、大規模な改造を行うことは、やはりコスト高となる。
【０００８】
本発明はかかる実情に鑑み、従来からオフィス向けに販売されている既成の中型シュレッダーと軽トラックを組み合わせた、小規模な廃棄物破砕車を提案するものである。
【課題を解決するための手段】
【０００９】
上記課題を解決するため、本発明は、自力走行可能な軽トラックの車両本体と、この車両本体の荷台に積載する施錠可能な密閉空間を形成した箱型のシュレッダー収納室と、このシュレッダー収納室内の床面に設置するシュレッダーとからなり、上記シュレッダー収納室の床面は、シュレッダー移動装置を介して荷台の前後方向に引き出し又は収納可能として廃棄物破砕車を構成するという手段を採用した。
【００１０】
また、上記シュレッダー移動装置は、シュレッダーを載置する床面と、この床面の下面に列設する複数のローラーと、車両本体の荷台の前後方向に固定して上記床面が摺動する摺動レールと、この摺動レールと平行に設けられて上記ローラーを嵌入して案内する断面凹型の案内レールとからなるという手段を採用した。
【００１１】
また、上記シュレッダー収納室の床面の後端部に、当該床面と地面とを昇降可能とする昇降装置をさらに組み立て可能に設けるという手段を採用した。
【００１２】
そして、上記昇降装置は、床面の後端部に鉛直方向に折曲・固定可能に取り付けた枠脚と、この枠脚に対して直角方向に展開可能に取り付けた昇降用ステップからなるという手段を採用した。
【発明の効果】
【００１３】
上記構成の廃棄物破砕車は、軽トラックにオフィス用中型シュレッダーを積載するものであるから、顧客を巡回するに際し、小回りがきき、燃費も良く、駐車スペースも小さくて済み、効率的である。また既存のオフィス用中型シュレッダーを使用するので、新規に機械を開発したり、車両を大幅に改造するといった必要がなく、経済的である。積載するシュレッダー収納室は施錠可能な密閉空間なので、機密性の保持が図られる。
【００１４】
また、シュレッダーを載置する床面を摺動可能として、走行時と作業時とでシュレッダーの位置を変更できるようにしたので、走行時には車両走行の安定性が確保できると共に、作業時にも、充分な作業スペースを確保することが可能であり、細断作業が楽に行える。
【００１５】
さらに、床面に対して昇降装置を組み立て可能に設けたので、床面と地面との昇降が楽に行える。
【発明を実施するための最良の形態】
【００１６】
以下、本発明に係る廃棄物破砕車の好ましい実施形態について説明するが、本発明では、既成の軽トラック及びオフィス用中型シュレッダーを使用することから、一定の制約がある。まず、これについて説明すると、走行時・駐車時において、風による書類、細断屑等の散逸防止や機密保持のため、軽トラックの荷台は、既存の廃棄物破砕車と同様に施錠可能な密閉した箱型とすることが好ましい。これによって、シュレッダー自体の盗難も防止できる。また、軽トラックは車両自体の重量が軽く、全長が短いので重心が高くなる。一方、積載するシュレッダーも、オフィス向けの中型のものなので、日常的にオフィスでの作業がしやすい仕様になっている。即ち、例えば、書類等の投入口が床面から１ｍ前後の高さにあり、その投入口の付近に裁断刃や駆動モーターが内装されているので、自重が重く、重心が高い位置にある。このため、軽トラックの荷台の後部にシュレッダーを積載して走行するには、走行安定性の面で問題があり、荷台中央より前方の運転席背部付近に積載して走行することが好ましい。
【００１７】
更に、軽トラックの法定規格として、全高が２ｍ以下である必要があるので、上述のように荷台を箱型にすると天井がかなり低くなる。即ち、軽トラック自体の荷台高さが地面から６６０ｃｍ程度あるので、箱型の天井の高さは１．３から１．４ｍ程度になり、人が箱型の荷台の中に入って細断作業するのには無理がある。このため、運転席背部付近に積載したシュレッダーを少なくとも荷台後端部付近まで移動させて作業者が箱型の荷台の外側で作業する必要がある。また、上述したようにオフィス用中型シュレッダーの投入口が比較的高い位置にあることから、作業者はシュレッダーと同じ床面に立つ必要があり、そのためのスペースを確保する必要がある。
【００１８】
以上の制約を考慮しつつ、図面に従って本発明の実施形態について説明する。図１、２において、１は廃棄物破砕車を構成する基本となる自力走行可能な軽トラックの車両本体であり、その荷台には密閉空間を形成する箱型のシュレッダー収納室２を積載している。このシュレッダー収納室２は地面から天井の高さまでを２ｍ以下とし、更に、後方に観音開きの扉３、３を設けて施錠可能とし、機密性を保持している。
【００１９】
上記シュレッダー収納室２の床面４は、シュレッダー移動装置５を介して床面４全体を前後方向に引き出し又は収納可能としており、当該床面４の前方（運転席背部）にはオフィス用中型シュレッダー６を設置している。このシュレッダーは紙の書類の他、ＦＤ、ＣＤ、ＤＶＤ等の記憶媒体を細断できる機能を有している。シュレッダー６は適宜な手段で床面４に固定することが好ましい。また、床面４の後端側は、一部が作業スペース４ａとなると共に、端部には枠脚７及び昇降用ステップ８からなる昇降装置を組み立て可能に設けて床面４を引き出したときにこれを支承している。
【００２０】
かかる構成の廃棄物破砕車は、顧客である企業等を巡回移動して使用する。図２（Ａ）に示すように、走行時にはシュレッダー６は荷台床面の運転席背部にあり、安定した走行が可能である。作業場に停車した後は、後部の扉を開き、同図（Ｂ）に示すように、シュレッダー移動装置５を介して床面４を後方に引き出し、シュレッダー６を荷台後端部まで移動させる。このとき、シュレッダー６の手前側には作業スペース４ａが形成されると共に、床面端部では枠脚７及び昇降用ステップ８を組み立て、昇降装置とする。このとき、作業スペース４ａはシュレッダー収納室２の外になるので、天井の高さの制約はなく、作業者は直立して作業できる。顧客は、この作業スペース４ａに立って、自らシュレッダー６で機密文書や記憶媒体等の細断・破砕処理を行う。これにより、機密文書等の機密性が保持される。開いた扉３は風よけになり、書類の飛散を防止する。作業後は、枠脚７及び昇降用ステップ８を折り畳み、床面４を前方に押し込んで収納し、当初の走行位置までシュレッダー６を移動させる。
【００２１】
かかる廃棄物破砕車は、軽トラックに既存のシュレッダーを積載するものであるから、小回りがきき、燃費も良く、駐車スペースも小さくてすむ。また、既存のオフィス用中型シュレッダーを積載するだけであるので、新規に機械を開発したり、車両を大幅に改良するなどの必要がなく、経済的である。また、走行時と作業時でシュレッダーの位置を変更できるようにしているので、走行時の安定性が確保できると共に、作業時にも、作業スペースが確保でき、楽に作業ができる。
【００２２】
次に、シュレッダー移動装置５の具体的構成の一例を図３に従って説明する。図３（Ａ）は床面を収納した状態、同図（Ｂ）は床面を引き出して枠脚及び昇降用ステップ（昇降装置）を組み立てた状態を示している。図において、１１はシュレッダーを載置、固定する摺動可能な床面、１２、１２は軽トラックの荷台の前後方向に固定する摺動レールで、その上面を上記床面１１が摺動する。１３、１３は適当間隔をおいて上記摺動レール１２と平行に設けた断面凹状の案内レールで、床面１１の下面に列設したローラー１４、１４・・を嵌入して案内し、床面１１をスムーズに前後方向に摺動させるようにしたものである。
【００２３】
続いて、昇降装置において、１５は上記床面の後端に蝶番などで折曲可能に取り付けた枠脚で、止め金具１６によって鉛直方向に固定し、地面に接地して上記床面１１を支承するものである。１７は上記枠脚１５に対し蝶番などで折り畳み自在に取り付けた昇降用ステップで、上記枠脚１５を鉛直方向に起立させた後、直角方向（水平方向）に展開して地面と床面とを楽に昇降できるようにしたものである。
【００２４】
上記構成のシュレッダー移動装置によれば、比較的重量のあるオフィス用中型シュレッダーも楽に前後方向に移動することが可能であり、走行中はシュレッダーを運転席背部に位置させ、駐車して破砕処理を開始する際には、床面ごとシュレッダーを後方に引き出して作業できるものである。
【００２５】
なお、上記シュレッダー移動装置は、上記構成に限定するものではなく、床面を前後に摺動させてシュレッダーを荷台後方に引き出せるようにしたものであればよい。また、上記昇降装置も、上記構成に限定するものではなく、引き出した床面に昇降できるようなものであればよい。
【図面の簡単な説明】
【００２６】
【図１】本発明に係る廃棄物破砕車の実施形態の一例を示す斜視図である。
【図２】廃棄物破砕車を一部透視して示す斜視図で、（Ａ）は走行時の状態、（Ｂ）は作業時の状態を示すものである。
【図３】シュレッダー移動装置の具体的構成の一例を示すもので、（Ａ）は床面を収納した状態、（Ｂ）は床面を引き出して枠脚及び昇降用ステップ（昇降装置）を組み立てた状態を示すものである。
【符号の説明】
【００２７】
１    車両本体
２    シュレッダー収納室
３    扉
４    床面
５    シュレッダー移動装置
６    シュレッダー
７    枠脚
８    昇降用ステップ
１１    床面
１２    摺動レール
１３    案内レール
１４    ローラー
１５    枠脚
１６    止め具
１７    昇降用ステップ
【図１】
2006082011.tif 000003
【図２】
2006082011.tif 000004
【図３】
2006082011.tif 000005